(57)【要約】      （修正有）【課題】施工を容易とし、且つ大容量の配線空間を可能とした照明付き階段用すべり止めを提供する。【解決手段】階段Ｋの段鼻部を覆うと共に、発光部が設けられる階段用すべり止め１であって、階段面に固定される金台と、該金台の上面に形成されるすべり止め材取付溝に嵌合・固定されるすべり止め材とよりなり、前記金台の前面には、光源１５及び光源からの発光光を伝達する導光材１３，１４、及び配線を収容する配線収容空間を有すると共に、階段の蹴上げ面Ｋ３及び踏み面Ｋ２の幅方向両隅部には、端部金台及び端部用カバー材からなる端部配線材が設けられ、該端部用金台には配線収容溝が設けられており、前記すべり止めの収容空間と前記端部材の配線収容空間とは、相互に連通している。【選択図】図１
0003179295.tif 000002
【実用新案登録請求の範囲】
【請求項１】
階段の段鼻部を覆うと共に、発光部が設けられる階段用すべり止めであって、
階段面に固定される金台と、該金台の上面に形成される係合溝に嵌合・固定されるすべり止め材とよりなり、
前記金台の前面には、光源と該光源からの発光光を伝達する導光材と、光源に接続される配線とを収容する収容空間を有すると共に、
前記金台の前記収容空間において、前記光源及び前記導光材を収容する空間と配線を収容する空間との間に、隔壁を設けて分離するようにしたことを特徴とする、照明付き階段用すべり止め。
【請求項２】
階段の蹴上げ面及び踏み面の幅方向両隅部には、端部用金台及び端部用カバー材からなる端部材が設けられ、該端部用金台には配線収容空間が形成されており、
前記すべり止めの収容空間と前記端部材の配線収容空間とは、相互に連通していることを特徴とする、請求項１記載の照明付き階段用すべり止め。
【請求項３】
端部材の端部用金台のうち、踏み面に設けられる端部用金台は、階段の段鼻部よりも突出し、且つすべり止めの前面までは突出しない状態で設けられると共に、蹴上げ面に設けられる端部用金台は、その上端部がすべり止めの配線収容空間の下端面とほぼ同一となるように設けられ、端部用金台の幅方向すべり止め側の端部は、前記すべり止めの配線収容空間と連通すべく、配線挿通部が設けられていることを特徴とする、請求項１または２記載の照明付き階段用すべり止め。
【請求項４】
端部材の長手方向両端部には、端部材及び端部用カバー材を覆うように設けられる出隅カバー材が設けられていることを特徴とする、請求項１ないし３記載の照明付き階段用すべり止め。
【請求項５】
前記出隅カバー材は、端部用金台に形成される固定用溝内に挿入固定される突出部が設けられ、該突出部と前記出隅カバー材仕上面とは互いにリブで連結されていることを特徴とする、請求項１ないし４記載の照明付き階段用すべり止め。
【考案の詳細な説明】
【技術分野】
【０００１】
本考案は、劇場や映画館、コンサートホール、また夜間等の暗所において階段の位置を知らせるべく用いられる照明付き階段用すべり止めに関するものである。
【背景技術】
【０００２】
従来より、劇場や映画館、コンサートホール等の昼間でも暗くする必要がある場所や、夜間等において、階段利用時の踏み外し、つまずき等を防止するために、階段の段鼻部に設けられる階段用すべり止め付近に照明を設置することが多くなっている。
【０００３】
例えば特許文献１においては、階段の各踏み板の前縁に設けた滑り止め部の下部に、水平方向前面と前記滑り止め板側の上面に光を照射する光源を設け、前記水平方向前面から出射する光の光源と、前記滑り止め板側の上面から出射する光の光源を、共通の光源とした構成のものが見られる。
【０００４】
また、特許文献２においては、階段の踏面とその立ち上がり面との境であるコーナ部に、そのコーナ部の長手方向へ軸線が沿うように固定される表示装置であって、透光性を有し且つ、幅方向に反射光を放出する反射手段が設けられた透明または半透明の或いは乳白色の細長い本体と、その本体の長手方向両端に固定されて、その本体の軸線方向に投光する一対のＬＥＤと、その軸線方向を除きＬＥＤの外周を被嵌する非透光性の光源被蔽体とを具備する構成のものが見られる。
【先行技術文献】
【特許文献】
【０００５】
【特許文献１】特開２００３−１４１９２８号公報
【特許文献２】特開２００４−０９２２３８号公報
【考案の概要】
【考案が解決しようとする課題】
【０００６】
特許文献１に記載の構成においては、一の光源から上方及び側方の二方向に発光することを可能としており、光源を発光させるための電源と、電源と光源とを結ぶ配線については、発光ダイオードが設けられたＰＣ基板の幅方向の一端に配線が設けられ、配線は、階段の一側または両側の側壁の内部で接続されるようになっているため、取付施工には大変な手間がかかるものとなっている。
【０００７】
また、特許文献２に記載の構成においては、リード線は光源被蔽体の下面側に導かれ、滑り止め体の溝状部に嵌着固定されるようになっているため、配線空間が狭く、太い配線等は通すことができないものとなっている。
【０００８】
本考案は、上記事情に鑑みてなされたもので、施工を容易とし、且つ大容量の配線空間を可能とした照明付き階段用すべり止めの提供を目的とする。
【課題を解決するための手段】
【０００９】
上記課題を解決するため、本考案に係る照明付き階段用すべり止めは、階段の段鼻部を覆うと共に、発光部が設けられる階段用すべり止めであって、階段面に固定される金台と、金台の上面に形成される係合溝に嵌合・固定されるすべり止め材とよりなり、金台の前面には、光源と光源からの発光光を伝達する導光材と、光源に接続される配線とを収容する収容空間を有すると共に、金台の収容空間において、光源及び導光材を収容する空間と配線を収容する空間との間に、隔壁を設けて分離するようにしたことを特徴とする（請求項１）。このように、金台の収容空間において、光源及び導光材を収容する空間と配線を収容する空間との間に、隔壁を設けて分離するようにすることで、特に配慮せずに施工しても、透光性のある導光材から、配線が透けて見えてしまうようなことがなくなる。
【００１０】
また、階段の蹴上げ面及び踏み面の幅方向両隅部には、端部用金台及び端部用カバー材からなる端部材が設けられ、端部用金台には配線収容空間が形成されており、すべり止めの収容空間と端部材の配線収容空間とは、相互に連通していることが好ましい（請求項２）。こうすることで、配線は金台に設けられる収容空間と、端部用金台の配線用収容空間という大容量の配線収容空間に収容すれば良く、更に金台及び端部用カバー材により隠蔽されるため、外観美麗かつ施工容易とすることができる。
【００１１】
更に、端部材の端部用金台のうち、踏み面に設けられる端部用金台は、階段の段鼻部よりも突出し、且つすべり止めの前面までは突出しない状態で設けられると共に、蹴上げ面に設けられる端部用金台は、その上端部がすべり止めの配線収容空間の下端面とほぼ同一となるように設けられ、端部用金台の幅方向すべり止め側の端部は、前記すべり止めの配線収容空間と連通すべく、配線挿通部が設けられるようにし（請求項３）、端部材の長手方向両端部には、端部材及び端部用カバー材を覆うように取付けられる出隅カバー材が設けられる（請求項４）ようにすることで、配線量が多くても支障なく通線でき、端部用金台が階段の段鼻部よりも突出し、出隅カバー材が載置されるように設けられ、取付を確実なものとすることができる。
【００１２】
また、出隅カバー材は、端部用金台に形成される固定用溝内に挿入固定される突出部が設けられ、突出部と出隅カバー材仕上面とは互いにリブで連結される（請求項５）ようにすることで、出隅カバー自体の強度を増すことができる。
【考案の効果】
【００１３】
本考案によれば、上記のように構成されていることから、以下のような効果が期待できる。
【００１４】
（１）すべり止めの金台に配線収容空間を設けたことにより、導光材の両端に光源が必要とされる場合でも、金台内を通線できるので配線工事を容易に行うことができる。また、端部用金台及び端部用カバー材を階段の両隅に設けることにより、施工場所の電源の都合に合わせて左右いずれの端部用金台も利用可能とすることができる。
【００１５】
（２）配線収容空間を、光源等の収容空間と隔離することにより、導光材から配線が透けて見えるのを防止することができる。
【００１６】
（３）踏み面に設けられる端部用金台を、階段の段鼻部よりも突出して形成することにより、出隅カバー材の大部分が突出部に載置された状態となり、出隅カバー材の取付強度を増大させることができ、出隅カバー材を踏みつけた際に出隅カバー材が脱落するのを防止することができる。
【００１７】
（４）出隅カバー材の突出部と仕上面との間にリブを設けることにより、突出部にかかる力を分散し、カバーの破損を防止することができる。
【図面の簡単な説明】
【００１８】
【図１】本考案に係る照明付き階段用すべり止めの設置状態を示す斜視図である。
【図２】本考案に係る照明付き階段用すべり止めの各部材が組み込まれ、配線された状態を示す斜視図である。
【図３】本考案に係る照明付き階段用すべり止めにおいて、図２の反対端側の状態を示す斜視図である。
【図４】本考案に係る照明付き階段用すべり止めの施工状態における縦断面図である。
【図５】本考案に係る照明付き階段用すべり止めにおける出隅カバー材の取付状態を示す斜視図である。
【図６】本考案に係る照明付き階段用すべり止めの階段と座席とを仕切る端部配線材と各仕上材との納まりを示す断面図であり、(a)は階段、座席共に仕上材にタイルカーペットを用いた場合、（ｂ）は階段にタイルカーペット、座席にＰタイルを用いた場合を示す。
【図７】本考案の実施例２に係る照明付き階段用すべり止めの各部材が組み込まれ、配線された状態を示す斜視図である。
【図８】本考案の実施例２に係る照明付き階段用すべり止めにおいて、図７の反対端側の状態を示す斜視図である。
【図９】本考案の実施例２に係る照明付き階段用すべり止めの施工状態における縦断面図である。
【図１０】本考案の実施例２に係る照明付き階段用すべり止めの階段と座席とを仕切る端部配線材と各仕上材との納まりを示す断面図であり、(a)は階段、座席共に仕上材にじゅうたんを用いた場合、（ｂ）は階段にじゅうたん、座席にＰタイルを用いた場合を示す。
【考案を実施するための形態】
【００１９】
以下に、本考案に係る照明付き階段用すべり止めの実施形態を添付図面に基づいて詳細に説明する。
【実施例１】
【００２０】
本考案に係る照明付き階段用すべり止め１は、図１ないし図６に示すように階段Ｋの段鼻部Ｋ１を覆うように図示しないアンカーボルトにより固定される金台１１に形成されるすべり止め材取付溝１１１に、すべり止め材１２を嵌合固定して設けられる。階段Ｋのその他の部分には、タイルカーペット等の床仕上材Ｃが貼付される。踏み面Ｋ２に貼付される仕上材Ｃの段鼻部Ｋ１側端部は、金台１１の仕上材載置部１１２に載置するように設けられ、また、蹴上げ面Ｋ３に貼付される仕上材Ｃの上端は、金台１１の前端部下端に設けられる、仕上材端部隠し片１１３にのみ込まれるようにして設けられる。これにより、照明付き階段用すべり止め１と仕上材Ｃとの境界をきれいに納めることができるようになっている。
【００２１】
更に、図２ないし図５に示すように、金台１１の前面には、前垂片１１４が階段Ｋの段鼻部Ｋ１より離れて設けられ、前垂部１１４の裏側空間、すなわち前垂片１１４と段鼻部Ｋ１との間には、垂直基部１１５が形成され、前垂部１１４と垂直基部１１５、及び水平基部１１６により囲まれる空間に発光部収容溝１１７及び配線収容空間１１８が形成されている。また、前垂部１１４と仕上材端部隠し片１１３との間には、発光用間隙１１９が設けられている。
【００２２】
発光部収容溝１１７には、水平方向に長手通しに設けられる角柱状の蹴上げ面側導光材１３と、その両端部に設けられる光源１５が収容される。更に適宜間隔をおいて、円柱状の踏み面側導光材１４が、下端部を蹴上げ面側導光材１３に密接するように設けられる。金台１１及びすべり止め材１２の対応箇所には、踏み面側導光材１４の直径よりもやや大きい貫通孔１１ａ，１２１が形成され、踏み面側導光材１４の上端面はすべり止め材１２の上面よりもやや低くなるように形成されている。これは、踏み面側導光材１４が突出していると、階段Ｋ歩行時に引っ掛かり違和感を感じるのを防止すると共に、踏圧による損傷を防ぐためである。
【００２３】
蹴上げ面側導光材１３は、前記の通り角柱状に形成されたアクリル棒材であって、金台１１の垂直基部１１５側面のみつや消しとし、残りの５面は光沢面としている。これにより、光源１５からの入射光がつや消し面に反射して、反対面側、すなわち金台１１の発光用間隙１１９側から発光する。また、踏み面側導光材１４は、円柱状に形成された軟質のアクリル棒材である。蹴上げ面側導光材１３の上面に密着させることで、下端部から上端部に向けて光を伝達する。
【００２４】
蹴上げ面側導光材１３の両端に設けられる光源１５は、屋外での使用も考慮して、ＡＳＡ等耐候性を有する合成樹脂製のケース１５１の内部に、ＬＥＤ及び配線が実装された基板材１５２を嵌合状態としたものである。ケースは内面の寸法が蹴上げ面側導光材１３の外形寸法よりも若干大きい筒状に形成され、一端からは配線１５３を出し、他端は蹴上げ面側導光材１３の端部に係合される。
【００２５】
この光源１５を蹴上げ面側導光材１３の両端に設けることで、十分な光量を得ることができ、幅の広い階段Ｋであっても光が減衰して中央が暗くなるようなことはない。また、蹴上げ面側導光材１３として、アクリルの棒材の一面（前述のつや消し加工面と同一面）にレーザー加工を施して一定の模様等を形成し、その部分のみ発光するものを使用する場合には、発光面積が狭くなり光の減衰が少ないので、光源は片側のみでも良い。この場合、蹴上げ面側導光材１３の他端には、光源１５のケース１５１内に基板材１５２の代わりに鏡（図示無し）を取付けたものを用い、光源１５からの光を反射するように設けられる。
【００２６】
本考案に係る照明付き階段用すべり止め１が設けられる階段Ｋには、光源１５に電源Ｐを供給するための配線２を通すべく、端部配線材３が設けられる。端部配線材３は、端部金台３１と、端部用カバー材３２と、出隅カバー材３３と、入隅カバー材３４とから構成される。
【００２７】
端部金台３１は、図６に示すように、アルミニウムの押出形材により設けられる長尺材である。端部金台３１は、階段Ｋの踏み面Ｋ２、蹴上げ面Ｋ３共に設けられ、連続した配線収容空間を提供する。端部金台３１は、すべり止め１の金台１１と同じく、図示しないアンカーボルトにより階段面（Ｋ２，Ｋ３）に固定されている。階段面（Ｋ２，Ｋ３）に接する板状の基部３１１と、基部３１１の幅方向両側に立設する壁部３１２と、基部３１１の中央に立設する仕切部３１３と、より構成される。壁部３１２の上端には、幅方向内方に突出する係止用条３１４が、長手通しで形成される。また、仕切部３１３は、上端に水平片３１５が形成される。基部３１１中央に、仕切部３１３が形成されることにより、壁部３１２と仕切部３１３とで仕切られる２つの溝状の空間を、一方は配線収容溝３１６、他方は端部金台３１自体や、後述する出隅カバー材３３をアンカー固定するための固定用溝３１７として使用することができるようになっている。図示にあっては、すべり止め１側を配線収容溝３１６として用いている。
【００２８】
端部金台３１の取付けにおいては、踏み面Ｋ２上では一端を階段Ｋの段鼻部Ｋ１よりも突出し、かつすべり止め１の前端までは突出しない位置とし、他端を踏み面Ｋ２の次の上段側蹴上げ面Ｋ３よりはやや短い位置とされるように設けられる。更にこの突出部３１８の配線収容溝側３１６に、すべり止め１の金台１１に設けられる配線収容空間１１８と連通するように配線挿通部３１９を形成すると、端部金台３１を通る配線２から光源１５に分岐する配線２を、容易に通線することができ、施工が容易となる。この実施形態においては、突出した端部金台３１の配線収容溝３１６側を、斜めに切断している。また蹴上げ面Ｋ３上では、両端とも蹴上げ面Ｋ３よりも短い位置となるように設けられる。
【００２９】
端部金台３１の上面には、仕上材として端部用カバー材３２が設けられる。端部用カバー材３２は、ＡＢＳ等の合成樹脂製であり、板状の主部３２１と、主部３２１の幅方向両端部に延設される仕上材押え片３２２と、主部３２１の下面から下方に延設される一対の垂直片３２３とから構成され、垂直片３２３の下端には、係止突条３２５が長手通しに形成される。一対の仕上材押え片３２２の内、外側、すなわちすべり止め１から離れる側の仕上材押え片３２２は、内側の仕上材押え片３２２よりも長く形成され、その途中に補助脚部３２６が形成される。補助脚部３２６は、外側の仕上材押え片３２２と直交するように設けられ、下端部が外側の仕上げ材押さえ片３２２と同一面内に位置するようにされている。
【００３０】
垂直片３２３に形成される係止突条３２５と、端部金台３１に形成される係止用条３１４とを係合させることで、端部用カバー材３２は固定される。この時、主部３２１の下面が端部用カバー材３２の水平片３２４と当接するように設けられることで、端部用カバー材３２の上を歩行した際も、へこむようなことはなく、確かな歩行感を得ることができるようになっている。
【００３１】
端部用カバー材３２の幅方向両端部には、カーペット等の仕上材Ｃが敷かれているため、仕上材Ｃの端部Ｃ１を覆い、見栄えを良くするために、仕上材押え片３２２が利用される。劇場や映画館等の階段Ｋは、多くが座席Ｓのブロックの間に設けられるようになっており、階段Ｋと座席Ｓブロックの床面とで、仕上材Ｃを変えることもある。
【００３２】
一般的な映画館などでは、施工性の良さやコスト面から、階段Ｋ側にタイルカーペットＣ２を敷き詰め、座席Ｓ側には同じくタイルカーペットＣ２を敷き詰めるか、プラスチックタイルＣ３（以下、「ＰタイルＣ３」）を敷き詰めることが多い。タイルカーペットＣ２とＰタイルＣ３の使い分けとしては、歩行音（ＰタイルＣ３は硬質のため、底の硬い靴では歩行音が発生しやすく、映画等上映時に邪魔になるおそれがある）や汚れ（タイルカーペットＣ２は織物のため、汚れがつきやすい）を考慮して、使用環境に合致したものが選択される。
【００３３】
階段Ｋ側と座席Ｓ側とで、同じ仕上材Ｃを使用する場合には、仕上材押え片３２２の長さが同一とされた端部用カバー材３２を用いれば良い。また、階段Ｋ側と座席Ｓ側とで、厚さの異なる仕上材Ｃを使用する場合には、仕上材押さえ片３２２の長さを厚い仕上材Ｃの分、短くした端部用カバー材３２を用いれば良い。この時、長い側の仕上材押え片３２２は踏圧により変形するおそれがあるが、内部に分岐するように設けられる補助脚部３２５により補強されているため、使用上問題はない。これにより、階段Ｋ、座席Ｓ下部床面いずれにおいても、仕上材Ｃの端部Ｃ１をきれいに納めることが可能となる。
【００３４】
端部金台３１及び端部用カバー材３２によっても、出隅部（段鼻部Ｋ１）及び入隅部Ｋ４については隙間があいてしまい、外観上はもちろんのこと、機能的にも問題である。そこで出隅用カバー材３３及び入隅用カバー材３４を取付けるようになっている。
【００３５】
出隅用カバー材３３は、図５（ｂ）に示すように、ＡＢＳ等の合成樹脂製であって、インジェクション成型により形成される。基本的には踏み面Ｋ２側の水平部３３１と、蹴上げ面Ｋ３側の前垂部３３２とから構成されている。水平部３３１は、階段奥側（段鼻部Ｋ１から離れる側）端部に徐々に厚さが薄くなるように形成される。これは、すべり止め材１２上面と、端部用カバー材３２上面とで、高さに差があるため、この差を吸収するためである。また、水平部３３１下面から、端部金台３１の係止用条３１４と係合する、係止突片３３３が一対設けられる。水平部３３１は大部分が、段鼻部Ｋ１より突出して設けられた端部金台３１の上に載置状態で設けられる。
【００３６】
前垂部３３３は、金台１１の前垂片１１４よりもやや大きい径の円弧状に形成され、下端部は垂直状に形成される。図５（ａ）に示すように、前垂部３３３内方面からは、階段Ｋ奥側に向けて水平板状の突出部３３４と、垂直板状の蹴上げ面側補強片３３５がそれぞれ形成される。突出部３３４は、端部金台３１の固定用溝３１７の幅とほぼ同一に形成され、固定用溝３１７に挿入され、アンカー固定される。出隅カバー材３３は、端部金台３１の係止用条３１４との係合の他、このアンカー固定のみで固定されているため、歩行の際、出隅カバー材３３を踏まれると、突出部３３４には大きな力がかかり、破断してしまう危険性がある。そのため、水平部３３１の下面から突出部３３４の上面にかけてつなぐように、３３６を形成している。前記した通り、端部金台３１上に載置されるように設けられるのと総合して、出隅カバー材３３は踏まれても容易に脱落するようなことはない。なお、蹴上げ面側補強片３３５は、前垂部３３２を補強するために突出される。また、水平部３３１、前垂部３３２共に、外側端（すべり止め１から離れる側）には、端部カバー材３２と同じく仕上材押え片３３７が形成される。内側は、すべり止め１の端部を覆うように設けられるため、平面状である。
【００３７】
入隅カバー材３４は、低密度ポリエチレン等の合成樹脂製であって、インジェクション成型により形成される。出隅カバー材３３よりも、やや軟質に形成されている。これは、階段Ｋによって蹴上げ面Ｋ３の傾斜角は様々であり、変形することによりこれに対応するためである。入隅カバー材３４は、水平片３４１及び垂直片３４２とで略直角状に形成されている。幅方向両端部には、仕上材押え片が形成されており、外側端の方が長く、内側端の方が短く形成される。踏み面Ｋ２側、蹴上げ面Ｋ３側共に、端部用カバー材３２の端部を入隅カバー材３４で覆うようにして、重なった部分を接着固定する。これにより、踏み面Ｋ２側の端部用カバー材３２が歩行に伴い平行に移動してしまうのを防止する。
【００３８】
入隅カバー材３４の内側面には、水平片３４１及び垂直片３４２から端部用カバー材３２の係止突条３３３に係合する係止突条３４６が形成される。また係止突条３４６の中間には、補強条３４７が形成され、端部用カバー材３２の水平片３２４に当接するように設けられている。
【００３９】
次に、本考案に係る照明付き階段用すべり止め１の配線２について説明する。前述の通り、段鼻部Ｋ１にはすべり止め１が、階段Ｋの両端部には端部配線材３が、それぞれ設けられている。まず電源Ｐであるが、本考案の光源１５に用いられるＬＥＤは、ＤＣ（直流）１２ボルトで点灯するように設計されているので、商用電源（ＡＣ（交流）１００ボルト）から変換する必要がある。
【００４０】
例えば映画館においては、映写室内に電源ボックスＰ１（変換器）を設置して、ＤＣ１２ボルトを供給する主配線２をシアター内の階段Ｋの数だけ分岐させる。この主配線２は、＋線と−線の２本からなり、端部配線材３内に通線する。
【００４１】
この主配線２と、本考案に係る照明付き階段用すべり止め１の光源１５から延びている配線１５３とを結線する。各光源１５は、主配線２に対して並列に結線される。図２及び図３に示すように、端部金台３１の配線収容溝３１６に収容された主配線２を、すべり止め１付近で圧着スリーブ２１を用いて分岐させ、光源１５からの配線１５３と結線する。この実施形態においては、１つのすべり止め１に２個の光源１５を用いるので、分岐が２つ形成される。主配線２に近い側の光源１５についてはそのまま発光部収容溝１１７に配線し、遠い側の光源１５については分岐された配線２を配線収容溝１１８を通すように設ける。発光部収容溝１１７と配線収容溝１１８とは、隔壁１１ｆにより分離されているので、蹴上げ面側導光材１３が透明であっても配線２が透けて見えることはない。
【００４２】
必要に応じて、電源ボックスＰ１に調光機能を持たせれば、照明点灯時や非常時には最大の明るさで点灯させ、映画上映時などは支障のない程度に暗くするなどの操作が可能となる。
【実施例２】
【００４３】
本考案に係る照明付き階段用すべり止め１の、他の実施例について説明する。なお、実施例２の構成の内、先に説明した実施例１と同様の構成については、符号を同じくして説明を省略する。
【００４４】
実施例２は、図７ないし図１０に示されるもので、仕上材ＣとしてじゅうたんＣ４を用いる場合の構成である。じゅうたんＣ４は、実施例１において用いられるタイルカーペットＣ２よりも毛足が長く、厚いため、各部において部材の寸法等が変更されている。
【００４５】
まず、金台１１’について、実施例２においては、仕上材Ｃの厚さに対応すべく、かさ上げ用空隙条１１ｅが形成される。これにより、階段Ｋ面からすべり止め材取付溝１１１までの高さが高く形成される。かさ上げ用空隙条１１ｅを中空としたのは、材料の使用量を低減させるためである。また、すべり止め材取付溝１１１の後端部に隣接して、仕上材押え条１１ｂが形成される。仕上材押え条１１ｂは、すべり止め材取付溝１１１の後端部から水平に延設される水平片１１ｃと、水平片１１ｃの後端から斜め下方に延設される斜行片１１ｄとよりなる。斜行片１１ｄの先端部によりじゅうたんＣ４の端部を有効に押さえ付けることができる。
【００４６】
金台１１’の全高が高くなったことに伴い、端部金台３１’の高さも高く形成されている。端部金台３１’に係合して取付けられる、端部用カバー材３２については、実施例１と同様のものを用いている。
【００４７】
実施例１でも説明したように、仕上材Ｃの種類により使用する端部用カバー材３２を変更する。実施例２では、階段Ｋ側にはじゅうたんＣ４が敷き詰められ、座席Ｓ側には階段Ｋ側と同じくじゅうたんＣ４か、ＰタイルＣ３が敷き詰められる。座席Ｓ側と階段Ｋ側とで同じ厚さの仕上材Ｃを用いる場合には、仕上材押え片３２２の長さが同一のもの、座席Ｓ側の仕上材Ｃの厚さが薄いものには、仕上材押え片３２２の長さが長く、かつ補助脚部３２６が設けられたものを用いる。
【００４８】
じゅうたんＣ４を敷き詰める手順としては、まず階段Ｋ面にフェルト等の下地材Ｃ５を貼着する。図９に示す通り、下地材Ｃ５が貼着される範囲は、踏み面Ｋ２側は金台１１’の仕上げ材載置部１１２の後端縁付近まで、蹴上げ面Ｋ３側は金台１１’の仕上材端部隠し片１１３に掛かる程度である。更に、仕上げ材載置部１１２上に、グリッパーＣ６を固定する。グリッパーＣ６は、長さ１．２ｍ、幅２ｃｍ程度の細長い板状の本体Ｃ６１上面に、金属製のピンＣ６２が多数突出したもので、じゅうたんＣ４の端部をこのピンＣ６２に引っ掛けるようにして、じゅうたんＣ４のズレを防止するものである。最後にじゅうたんＣ４を敷き詰める。踏み面Ｋ２側の端部を仕上材押え条１１ｂに、蹴上げ面Ｋ３側の端部を仕上材端部隠し片１１３に、それぞれ飲み込ませるようにすると、じゅうたんＣ４とすべり止め１とが連続的に見えるように施工することができ、外観美麗である。
【符号の説明】
【００４９】
Ｃ      仕上材
Ｋ      階段
Ｐ      電源
Ｓ      座席
１      階段用すべり止め
１１    金台
１２    すべり止め材
１３    蹴上げ面側導光材
１４    踏み面側導光材
１５    光源
２      配線
３      端部配線材
３１    端部金台
３２    端部用カバー材
３３    出隅カバー材
３４    入隅カバー材
【図１】
0003179295.tif 000003
【図２】
0003179295.tif 000004
【図３】
0003179295.tif 000005
【図４】
0003179295.tif 000006
【図５】
0003179295.tif 000007
【図６】
0003179295.tif 000008
【図７】
0003179295.tif 000009
【図８】
0003179295.tif 000010
【図９】
0003179295.tif 000011
【図１０】
0003179295.tif 000012